(57)【特許請求の範囲】
【請求項１】
３次元で表示可能な画像を撮影するための携帯端末であって、
前記携帯端末の筐体の内側に配置された第１の撮像手段と、
前記第１の撮像手段と前記筐体の側縁との間に配置された第２の撮像手段と、
前記第１の撮像手段または前記第２の撮像手段による撮影の命令を受け付けるシャッタスイッチと、
前記第１の撮像手段または前記第２の撮像手段からの画像を表示するための表示装置と、
前記携帯端末の動作を制御するための制御手段とを備え、
前記携帯端末の動作モードが２次元の画像を撮影するモードである場合には、前記制御手段は、前記第１の撮像手段からの画像を前記表示装置に表示させ、
前記携帯端末の動作モードが３次元の画像を撮影するためのモードである場合には、前記制御手段は、前記第２の撮像手段からの画像を前記表示装置に表示させる、携帯端末。
【請求項２】
前記第１の撮像手段の露出と、前記第２の撮像手段の露出との差が予め規定された値を上回る場合に、前記制御手段は、予め定められた表示態様とは異なる態様で、画像を表示装置に表示する、請求項１に記載の携帯端末。
【請求項３】
前記第１の撮像手段の露出と、前記第２の撮像手段の露出との差が予め規定された値を上回る場合に、前記制御手段は、大きな露出をもたらす撮像手段からの画像を、右目用の画像データおよび左目用の画像データとして、メモリに保存する、請求項１または２に記載の携帯端末。
【請求項４】
前記筐体において、前記シャッタスイッチの対角の位置には、ストラップを取り付けるための開口部が形成されている、請求項１〜３のいずれかに記載の携帯端末。
【請求項５】
前記第１の撮像手段および前記第２の撮像手段の近傍の筐体の厚みは、前記筐体の側縁部の近傍の厚みを上回り、前記近傍と前記側縁部との間における前記筐体の表面は、少なくとも二つの異なる曲率中心に基づく円弧を含む、請求項１〜４のいずれかに記載の携帯端末。
【請求項６】
３次元で表示可能な画像を撮影するための携帯端末を制御するためのプログラムであって、前記携帯端末は、前記携帯端末の筐体の内側に配置された第１のカメラと、前記第１のカメラと前記筐体の側縁との間に配置された第２のカメラと、前記第１のカメラまたは前記第２のカメラからの画像を表示するための表示装置と、前記携帯端末の動作を制御するためのプロセッサとを備えており、
前記プログラムは前記プロセッサに、
前記携帯端末の動作モードが２次元の画像を撮影するモードである場合には、前記第１のカメラからの画像を前記表示装置に表示するステップと、
前記携帯端末の動作モードが３次元の画像を撮影するためのモードである場合には、前記第２のカメラからの画像を前記表示装置に表示するステップとを実行させる、プログラム。
【請求項７】
前記第１のカメラの露出と、前記第２のカメラの露出との差が予め規定された値を上回る場合に、前記プログラムは前記プロセッサに、予め定められた表示態様とは異なる態様で、画像を表示装置に表示するステップをさらに実行させる、請求項６に記載のプログラム。
【請求項８】
前記第１のカメラの露出と、前記第２のカメラの露出との差が予め規定された値を上回る場合に、前記プログラムは前記プロセッサに、大きな露出をもたらすカメラからの画像を、右目用の画像データおよび左目用の画像データとして、メモリに保存するステップをさらに実行させる、請求項６または７に記載のプログラム。
【発明の詳細な説明】
【技術分野】
【０００１】
本発明は携帯端末の制御に関し、より特定的には、３次元の画像を撮影可能な携帯端末の制御に関する。
【背景技術】
【０００２】
３次元の画像を撮影できるカメラが知られている。このカメラは、二つのレンズを備えており、左目用の画像データと右目用の画像データとを取得する。
【０００３】
たとえば、特開２０１０−２８８２５３号公報（特許文献１）は、「撮影者の指等の障害物により、撮影時における画角の一部が遮られていても、取得された視点画像から生成される立体視用画像を見やすくする」技術を開示している（［要約］の［課題］）。
【０００４】
また、特開２０１０−１１４７６０号公報は、「複眼カメラの撮像光学系への指かかりをユーザに分かりやすく通知する」ための技術を開示している（［要約］の［課題］）。
【先行技術文献】
【特許文献】
【０００５】
【特許文献１】特開２０１０−２８８２５３号公報
【特許文献２】特開２０１０−１１４７６０号公報
【発明の概要】
【発明が解決しようとする課題】
【０００６】
特許文献１または特許文献２に開示された技術によると、追加の画像処理が必要になりプロセッサの消費電力が増加することも考えられる。
【０００７】
本発明は上述のような問題点を解決するためになされたものであって、その目的は、複数のカメラのうちのいずれかが指等によって遮られていることを通知する携帯端末を提供することである。他の目的は、いずれかのカメラが遮られた状態で撮影された画像を違和感なく再生表示できる携帯端末を提供することである。
【０００８】
他の目的は、複数のカメラのうちのいずれかが指等によって遮られていることを通知するように携帯端末を制御するためのプログラムを提供することである。他の目的は、いずれかのカメラが遮られた状態で撮影された画像を違和感なく再生表示できるように携帯端末を制御するためのプログラムを提供することである。
【課題を解決するための手段】
【０００９】
ある局面にしたがう、３次元で表示可能な画像を撮影するための携帯端末は、携帯端末の筐体の内側に配置された第１の撮像手段と、第１の撮像手段と筐体の側縁との間に配置された第２の撮像手段と、第１の撮像手段または第２の撮像手段による撮影の命令を受け付けるシャッタスイッチと、第１の撮像手段または第２の撮像手段からの画像を表示するための表示装置と、携帯端末の動作を制御するための制御手段とを備える。携帯端末の動作モードが２次元の画像を撮影するモードである場合には、制御手段は、第１の撮像手段からの画像を表示装置に表示させる。携帯端末の動作モードが３次元の画像を撮影するためのモードである場合には、制御手段は、第２の撮像手段からの画像を表示装置に表示させる。
【００１０】
好ましくは、第１の撮像手段の露出と、第２の撮像手段の露出との差が予め規定された値を上回る場合に、制御手段は、予め定められた表示態様とは異なる態様で、画像を表示装置に表示する。
【００１１】
好ましくは、第１の撮像手段の露出と、第２の撮像手段の露出との差が予め規定された値を上回る場合に、制御手段は、大きな露出をもたらす撮像手段からの画像を、右目用の画像データおよび左目用の画像データとして、メモリに保存する。
【００１２】
好ましくは、筐体において、シャッタスイッチの対角の位置には、ストラップを取り付けるための開口部が形成されている。
【００１３】
好ましくは、第１の撮像手段および第２の撮像手段の近傍の筐体の厚みは、筐体の側縁部の近傍の厚みを上回り、近傍と側縁部との間における筐体の表面は、少なくとも二つの異なる曲率中心に基づく円弧を含む。
【００１４】
他の実施の形態にしたがうと、３次元で表示可能な画像を撮影するための携帯端末を制御するためのプログラムが提供される。携帯端末は、携帯端末の筐体の内側に配置された第１のカメラと、第１のカメラと筐体の側縁との間に配置された第２のカメラと、第１のカメラまたは第２のカメラからの画像を表示するための表示装置と、携帯端末の動作を制御するためのプロセッサとを備えている。プログラムはプロセッサに、携帯端末の動作モードが２次元の画像を撮影するモードである場合には、第１のカメラからの画像を表示装置に表示するステップと、携帯端末の動作モードが３次元の画像を撮影するためのモードである場合には、第２のカメラからの画像を表示装置に表示するステップとを実行させる。
【００１５】
好ましくは、第１のカメラの露出と、第２のカメラの露出との差が予め規定された値を上回る場合に、プログラムはプロセッサに、予め定められた表示態様とは異なる態様で、画像を表示装置に表示するステップをさらに実行させる。
【００１６】
好ましくは、第１のカメラの露出と、第２のカメラの露出との差が予め規定された値を上回る場合に、プログラムはプロセッサに、大きな露出をもたらすカメラからの画像を、右目用の画像データおよび左目用の画像データとして、メモリに保存するステップをさらに実行させる。
【発明の効果】
【００１７】
この発明の上記および他の目的、特徴、局面および利点は、添付の図面と関連して理解されるこの発明に関する次の詳細な説明から明らかとなるであろう。
【図面の簡単な説明】
【００１８】
【図１】携帯端末の一態様である携帯電話機１０の外観を表わす図である。
【図２】携帯電話機１０を斜め上方から表す図である。
【図３】携帯電話機１０のハードウェア構成を表わすブロック図である。
【図４】ディスプレイ１７０におけるモニタ画面の表示を表す図である。
【図５】携帯電話機１０のＣＰＵ１００が実行する処理の一部を表すフローチャートである。
【図６】本変形例に係る携帯電話機の制御構造を表すフローチャートである。
【図７】携帯電話機１０のＣＰＵ１００が実行する処理の一部を表すフローチャートである。
【図８】湾曲部８００の形状を表す図である。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
図１を参照して、本発明の実施の形態に係る携帯端末について説明する。図１は、携帯端末の一態様である携帯電話機１０の外観を表わす図である。なお、以下の例では、携帯電話機１０に基づいて本願発明の一実施の形態が説明されるが、本願発明に係る技術思想の適用は携帯電話機１０に限られない。たとえば、本願発明は、携帯電話機、スマートフォンその他の携帯可能な情報処理端末であって、複数のレンズを用いたカメラ機能を有する端末にも適用可能である。
【００２１】
図１（Ａ）を参照して、携帯電話機１０は、その筐体にレンズ１１０，１１１と、シャッタースイッチ１４０とを備える。レンズ１１０，１１１が配置されている面の裏の面には、モニタ（図示しない）が配置されている。
【００２２】
図１（Ｂ）を参照して、携帯電話機１０の断面Ａ−Ａから明らかなように、携帯電話機１０の筐体の外形は、レンズ１１０，１１１の部分の厚みは、他の部分の厚みよりも上回る。より詳しくは、筐体の厚みは、レンズ１１０，１１１から周縁部に向けて湾曲している。ある局面において、湾曲は、二つの曲率円の円弧の一部の組み合わせとして規定される。たとえば、第１の曲率中心と、第２の曲率中心とは、湾曲部８００を挟んで反対側に位置する。湾曲部８００の構成は、図８において詳述する。
【００２３】
図１（Ｃ）を参照して、断面Ｂ−Ｂとして示されるように、携帯電話機１０の筐体の長手方向の厚みは、ある局面において一定として構成される。
【００２４】
図２を参照して、携帯電話機１０の構成についてさらに説明する。図２は、携帯電話機１０を斜め上方から表す図である。携帯電話機１０は、ストラップを取り付けるための開口部２００をさらに備える。ある局面において、開口部２００は、シャッタースイッチ１４０の対角の位置に形成されている。このような位置に配置されると、携帯電話機１０のユーザが撮影を行なう場合には、ストラップ（図示しない）が筐体の下にぶら下がる態様となり、携帯電話機１０を持ち易くなる。
【００２５】
図３を参照して、本発明の実施の形態に係る携帯電話機１００の構成について説明する。図３は、携帯電話機１０のハードウェア構成を表わすブロック図である。
【００２６】
携帯電話機１０は、ＣＰＵ（Central  Processing  Unit）１００と、レンズ１１０，１１１と、絞り１１２，１１３と、ＣＭＯＳ（Complementary  Metal-Oxide  Semiconductor）１１４，１１５と、ＣＤＳ（Correlated  Double  Sampling）１１６，１１７と、増幅器１１８，１１９と、Ａ／Ｄ（Analog  to  Digital）変換器１２０，１２１と、レンズモータ１３０，１３１と、アイリスモータ１３２，１３３と、タイミングジェネレータ１３４，１３５と、シャッタースイッチ１４０と、モード選択ボタン１４２と、電源ボタン１４４と、ＲＡＭ（Random  Access  Memory）１５０と、画像信号処理回路１５２と、ＹＣ変換処理回路１５４と、圧縮伸張処理回路１５８と、ＲＯＭ（Read-Only  Memory）１６０と、フラッシュメモリ１６２と、ＬＣＤ（Liquid  Crystal  Display）ドライバ１６４と、メディアコントローラ１６６と、ディスプレイ１７０と、タッチセンサ１７２と、通信回路１９０と、アンテナ１９２とを備える。メディアコントローラ１６６には、メモリカード１６８が装着され得る。
【００２７】
ある局面において、携帯電話機１０は、その本体が薄型の略直方体形状に形成されている。レンズ１１０は、本体の前面に設けられる。シャッタースイッチ１４０は、本体の上面あるいは本体の背面に設けられる。シャッタースイッチ１４０は、ハードウェアとして構成されるスイッチに限られず、ディスプレイ１７０に表示されるソフトウェアキーとして構成されてもよい。
【００２８】
ＣＰＵ１００は、データバス１８０を介して携帯電話機１０の各部に電気的に接続されている。ＣＰＵ１００は、シャッタースイッチ１４０、モード選択ボタン１４２、電源ボタン１４４、並びに、タッチセンサ１７２から入力される信号に基づいて接続された各部を駆動制御する。
【００２９】
携帯電話機１０のユーザが、携帯電話機１０の動作モードを撮影モードにセットしてシャッタースイッチ１４０を押下すると、レンズ１１０によって結像された被写体光が撮影画像として取得される。ＣＰＵ１００は、撮影画像を、メモリカード１６８に書き込む。撮影モードは、従来の２次元の写真を撮影するための２次元モードと、３次元の画像として視認され得る写真を撮影するための３次元モードとを含む。
【００３０】
ある局面において、携帯電話機１０の本体の側面には、モード選択ボタン１４２、電源ボタン１４４が設けられる。携帯電話機１０は、上記撮影モードに加えて、メモリカード１６８に格納された撮影画像をディスプレイ１７０に再生表示するための再生モード、携帯電話機１０の各種設定を行うためのメニューモード等の動作モードを有する。ユーザは、モード選択ボタン１４２を押下することにより、各モード間を切り替えることができる。また、他の局面において、ユーザは、電源ボタン１４４を押下する毎に、携帯電話機１０の電源のオン／オフを切り替えることができる。
【００３１】
ディスプレイ１７０は、携帯電話機１０の本体の背面に設けられる。ディスプレイ１７０は、液晶表示装置、有機ＥＬ（Electro  Luminescence）ディスプレイ等によって実現されるが、これらの装置に限られない。ある局面において、ディスプレイ１７０は、その表示画面が本体の背面とほぼ等しい大きさに形成される。ディスプレイ１７０は、撮影モードにおいて、被写体の撮影画像をリアルタイムで表示する電子ビューファインダとして機能する。また、再生モードにおいて、ディスプレイ１７０は、メモリカード１６８に格納されている撮影画像を再生表示するためのモニタとして機能する。さらに、メニューモードにおいて、ディスプレイ１７０は、携帯電話機１０の動作を規定するための入力を受け付ける設定画面を表示する。
【００３２】
また、ディスプレイ１７０には、パネル状のタッチセンサ１７２が設けられている。ユーザの手や指がディスプレイ１７０の表示画面に接触すると、タッチセンサ１７２は、この接触位置を検知するように構成されている。ユーザが携帯電話機１０の本体を把持すると、タッチセンサ１７２は、グリップ領域を検知することもできる。また、タッチセンサ１７２は、ディスプレイ１７０へのタッチ操作によって各種操作指示の入力を受け付けるための操作部としても機能する。
【００３３】
絞り１１２、ＣＭＯＳ１１４，１１５は、レンズ１１０の背後に並べて配置される。レンズ１１０は、レンズモータ１３０に接続される。絞り１１２は、アイリスモータ１３２に接続される。レンズモータ１３０は、ユーザの操作に応じて、レンズ１１０のズームレンズをワイド側に、またはテレ側に移動することによって、ズーム倍率を変更する。また、レンズモータ１３０は、ＣＰＵ１００からの信号に基づいて被写体距離やズームレンズの変倍に応じてレンズ１１０のフォーカスレンズを移動することにより、撮影条件が最適となるように焦点を調整する。アイリスモータ１３２は、絞り１１２を作動させることにより露出を調整する。
【００３４】
レンズ１１０、絞り１１２を透過した被写体光は、ＣＭＯＳ１１４，１１５の受光面で像を構成する。ＣＭＯＳ１１４，１１５の受光面には、受光量に応じた電荷を蓄積するための受光素子が複数配列されている。ＣＭＯＳ１１４，１１５は、撮像によって各受光素子に蓄積された電荷を撮像信号として出力する。ＣＭＯＳ１１４，１１５には、ＣＰＵ１００によって制御されるタイミングジェネレータ（ＴＧ）１３４，１３５が接続されている。ＣＭＯＳ１１４，１１５は、ＴＧ１３４，１３５から入力されるタイミング信号（クロックパルス）によって、それぞれ駆動される。
【００３５】
ＣＭＯＳ１１４，１１５により取得された撮像信号は、相関二重サンプリング回路（ＣＤＳ）１１６に入力され、ＣＭＯＳ１１４，１１５の各受光素子の蓄積電荷量に対応したＲ，Ｇ，Ｂの画像データとして出力される。ＣＤＳ１１６から出力された画像データは、増幅器（ＡＭＰ）１１８で増幅され、増幅後のデータは、Ａ／Ｄ１２０によってデジタルの画像データに変換される。Ａ／Ｄ１２０から出力される画像データは、ワークメモリであるＲＡＭ１５０に一時的に格納される。
【００３６】
画像信号処理回路１５２は、ＲＡＭ１５０に格納された画像データに基づいて、階調変換、ホワイトバランス補正、γ補正処理その他の画像処理を実行する。
【００３７】
ＹＣ変換処理回路１５４は、画像処理後のデータを、輝度信号Ｙと、色差信号Ｃｒ，Ｃｂとに変換する。
【００３８】
撮影モードにおいて、ＣＭＯＳ１１４，１１５は、所定のフレームレートで撮像処理を実行する。画像信号処理回路１５２は、撮像処理によって取得された画像データに対して上記画像処理を実行する。ディスプレイ１７０は、処理済みの撮影画像を現在の画像として表示する。
【００３９】
ＬＣＤドライバ１６４は、ディスプレイ１７０を駆動する。ＬＣＤドライバ１６４は、画像メモリ、Ｄ／Ａコンバータ等（図示しない）を有している。Ｄ／Ａコンバータは、画像メモリに一時的に蓄積された撮影画像を、たとえば、ＮＴＳＣ（National  Television  System  Committee）方式のアナログ信号に変換して、変換後の信号をディスプレイ１７０に出力する。
【００４０】
撮影モードにおいて、シャッタースイッチ１４０が押下され、レリーズ操作が行われると、ＣＭＯＳ１１４，１１５は、所謂スルー画像表示のためのライブ画像よりも画素数の大きな画像データ（以下「オリジナル画像データ」という）を取得する。画像信号処理回路１５２は、オリジナル画像データに対して、上記の画像処理を実行する。圧縮伸張処理回路１５８は、予め定められた圧縮形式（たとえば、ＪＰＥＧ（Joint  Photographic  Experts  Group）形式）に従って、当該画像処理後の撮影画像を圧縮する。圧縮された撮影画像は、メディアコントローラ１６６によってメモリカード１６８に書き込まれる。
【００４１】
一方、再生モードにおいて、メモリカード１６８に記録された撮影画像は、メディアコントローラ１６６によってＲＡＭ１５０に読み出される。圧縮伸張処理回路１５８は、ＲＡＭ１５０に読み出された画像の伸張処理を実行する。ＬＣＤドライバ１６４は、その伸張処理後のデータを読み出し、そのデータに基づいて画像をディスプレイ１７０に再生表示する。
【００４２】
タッチセンサ１７２は、ユーザの手や指の接触を検知すると、この接触位置を示す信号をＣＰＵ１００に対して出力する。ある局面において、タッチセンサ１７２は、その配置位置に応じて、ディスプレイ１７０の表示画面の下に配置される。他の局面において、タッチセンサ１７２は、透明なスクリーンで形成され、表示画面を覆うように構成される。また、ディスプレイ１７０への接触を検知するための方法として、たとえば、ディスプレイ１７０のパネル（図示しない）における圧力の変化を感知する感圧式と、静電気による電気信号を感知する静電式などのがあるが、いずれの方法も、本実施の形態に適用され得る。
【００４３】
ある局面において、ＣＰＵ１００が、撮影画像をディスプレイ１７０に表示すると、タッチセンサ１７２からの信号がＣＰＵ１００にない場合、すなわち、ユーザがディスプレイ１７０に触れていない場合には、ＣＰＵ１００は、撮影画像をディスプレイ１７０の表示画面の全面に表示する。他の局面において、ＣＰＵ１００が、タッチセンサ１７２から出力された信号の入力を検知すると、ＣＰＵ１００は、タッチセンサ１７２によって検出された接触位置を避けるように撮影画像の表示領域を設定し、この表示領域に撮影画像を表示する。
【００４４】
図４を参照して、ディスプレイ１７０の表示態様についてさらに説明する。図４は、ディスプレイ１７０におけるモニタ画面の表示を表す図である。携帯電話機１０の撮影モードが３次元撮影モードであるとき、ＣＰＵ１００は、レンズ１１１によって取得された画像をディスプレイ１７０に表示させる。ユーザが携帯電話機１０を把持した時に、手や指によって遮られにくい場所にあるレンズ１１０からの画像は表示されない。
【００４５】
すなわち、画面（Ａ）に示されるように、携帯電話機１０の撮影モードが３次元撮影モードであるとき、ディスプレイ１７０は、その旨を画面上に表示する。画面（Ｂ）に示されるように、ユーザの指がレンズ１１１に重なっている場合には、ディスプレイ１７０は、モニタ画像として、その指の画像４１０を表示する。ユーザは、画像４１０を視認することにより、指がレンズ１１１に重なっていることを容易に知ることができるため、３次元画像の撮影の失敗が防止され得る。
【００４６】
図５を参照して、携帯電話機１０の制御構造について説明する。図５は、携帯電話機１０のＣＰＵ１００が実行する処理の一部を表すフローチャートである。
【００４７】
ステップＳ５１０にて、ＣＰＵ１００は、ディスプレイ１７０に表示されるメニュー画面（図示しない）に対するユーザ操作に基づいて、カメラモードへの切換指令が入力されたことを検知する。
【００４８】
ステップＳ５２０にて、ＣＰＵ１００は、カメラ機能を起動する。ＣＰＵ１００は、フラッシュメモリ１６２に格納されている情報に従って、カメラの撮影モードを設定する。
【００４９】
ステップＳ５３０にて、ＣＰＵ１００は、撮影モードが２次元撮影モードであるか、３次元撮影モードであるかを判断する。ＣＰＵ１００は、撮影モードが２次元撮影モードであると判断すると（ステップＳ５３０にてＹＥＳ）、制御をステップＳ５４０に切り換える。一方、ＣＰＵ１００は、撮影モードが３次元撮影モードであると判断すると（ステップＳ５３０にてＮＯ）、制御をステップＳ５５０に切り換える。
【００５０】
ステップＳ５４０にて、ＣＰＵ１００は、右目用カメラ（レンズ１１０）からの画像をディスプレイ１７０にモニタ画像として表示する。
【００５１】
ステップＳ５５０にて、ＣＰＵ１００は、左目用カメラ（レンズ１１１）からの画像をディスプレイ１７０にモニタ画像として表示する。このとき、ユーザの指がレンズ１１１にかぶさっていれば（図４の画面（Ｂ）参照）、ユーザは、そのことを直ぐに知ることができるため、携帯電話機１０の持ち方を変えて指がレンズ１１１を遮らないようにすることができる。
【００５２】
ステップＳ５６０にて、ＣＰＵ１００は、シャッタースイッチ１４０に対する操作に基づいて、撮影を実行する。
【００５３】
以上のようにして、本発明の実施の形態に係る携帯電話機１０によると、その撮影モードが３次元撮影モードである場合には、モニタ画像として、筐体の外側に近いレンズ１１１からの画像をディスプレイ１７０に表示する。筐体の外側の部分は、ユーザの手や指が重なりやすい部分であるため、仮に、手や指が重なっていた場合には、ディスプレイ１７０は、その画像を表示する。ユーザは、その画像を認識すると、携帯電話機１０を持ち帰ることにより、レンズ１１１に指が重なることを防止できる。これにより、３次元撮影における撮影の失敗を防止することができる。
【００５４】
＜変形例＞
以下、本発明の実施の形態の変形例について説明する。図６は、本変形例に係る携帯電話機の制御構造を表すフローチャートである。なお、本変形例に係る携帯電話機のハードウェア構成は、前述の携帯電話機１０のハードウェア構成と同じである。したがってハードウェア構成の説明は繰り返さない。
【００５５】
ステップＳ６１０にて、ＣＰＵ１００は、シャッタースイッチ１４０に対するユーザ操作に基づいて、３次元撮影モードへの切換指令が与えられたことを検知する。
【００５６】
ステップＳ６２０にて、ＣＰＵ１００は、右目用カメラのレンズ１１０の露出と、左目用カメラのレンズ１１１の露出との差が、予め規定された値以上であるか否かを判断する。ＣＰＵ１００は、当該差が予め規定された値以上であると判断すると（ステップＳ６２０にてＹＥＳ）、制御をステップＳ６３０に切り換える。この場合、レンズ１１１またはレンズ１１０のいずれかがユーザの指または手によって遮られていることになる。そうでない場合には、ＣＰＵ１００は（ステップＳ６３０にてＮＯ）、制御をステップＳ６４０に切り換える。
【００５７】
ステップＳ６３０にて、ＣＰＵ１００は、モニタ画面を表示する通常の態様とは異なる態様で、左目用カメラのレンズ１１１からの画像と、右目用カメラのレンズ１１０からの画像とを表示する。これにより、ユーザは、いずれかのレンズが指や手などによって遮られていることを知ることができる。
【００５８】
ステップＳ６４０にて、ＣＰＵ１００は、モニタ画面を表示するために規定された通常の態様で、レンズ１１１からの画像をディスプレイ１７０に表示させる。
【００５９】
以上のようにして、本変形例に係る携帯電話機１０は、二つのレンズの露出の差を計算し、その差が予め規定された値以上である場合には、いずれかのレンズが遮られていると判断し、その旨を通知する。ユーザはそれにより携帯電話機１０の持ち方を変えることができるため、３次元の写真を撮影する際の失敗が防止され得る。
【００６０】
なお、通常の態様と異なる態様は、たとえば、以下のような動作を含む。たとえば、ＣＰＵ１００は、レンズ１１０からの画像と、レンズ１１１からの画像とをディスプレイ１７０に並べて表示してもよい。他の局面において、ＣＰＵ１００は、レンズ１１０からの画像と、レンズ１１１からの画像とを、交互に、ディスプレイ１７０に表示してもよい。さらに他の局面において、ＣＰＵ１００は、ディスプレイ１７０に表示される画像を、通常の色と、赤色のような別の色とで、交互に表示してもよい。いずれの表示態様によっても、ユーザは、レンズ１１０またはレンズ１１１が指や手等によって遮られていることを知ることができる。
【００６１】
＜画像の保存＞
次に、本発明の実施の形態のさらに他の局面について説明する。この局面に従う携帯電話機は、３次元撮影モードでいずれかのレンズが指等によって覆われた状態で撮影が行われた場合に画像を保存する態様を切り替える機能を有する。なお、この局面に従う携帯電話機は、前述の携帯電話機１０のハードウェア構成を用いて実現される。したがって、ハードウェア構成の説明は繰り返さない。
【００６２】
図７を参照して、この局面に従う携帯電話機１０の制御構造について説明する。図７は、携帯電話機１０のＣＰＵ１００が実行する処理の一部を表すフローチャートである。
【００６３】
ステップＳ６１０にて、ＣＰＵ１００は、シャッタースイッチ１４０に対するユーザ操作に基づいて、３次元撮影モードへの切換指令が与えられたことを検知する。
【００６４】
ステップＳ６２０にて、ＣＰＵ１００は、右目用カメラのレンズ１１０の露出と、左目用カメラのレンズ１１１の露出との差が、予め規定された値以上であるか否かを判断する。ＣＰＵ１００は、当該差が予め規定された値以上であると判断すると（ステップＳ６２０にてＹＥＳ）、制御をステップＳ７３０に切り換える。この場合、レンズ１１１またはレンズ１１０のいずれかがユーザの指または手によって遮られていることになる。そうでない場合には、ＣＰＵ１００は（ステップＳ６３０にてＮＯ）、制御をステップＳ７４０に切り換える。
【００６５】
ステップＳ７３０にて、ＣＰＵ１００は、右目用カメラのレンズ１１０からの画像データを、右目用画像データおよび左目用画像データとして、ＲＡＭ１５０に格納する。その後、ユーザが保存の指令を携帯電話機１００に与えると、ＣＰＵ１００は、当該画像データを、フラッシュメモリ１６２またはメモリカード１６８に書き込む。
【００６６】
ステップＳ７４０にて、ＣＰＵ１００は、右目用カメラのレンズ１１０からの画像データを、右目用画像データとして、および、左目用カメラのレンズ１１１からの画像データを左目用画像データとして、ＲＡＭ１５０にそれぞれ格納する。その後、ユーザが保存の指令を携帯電話機１００に与えると、ＣＰＵ１００は、当該画像データを、フラッシュメモリ１６２またはメモリカード１６８に書き込む。
【００６７】
ステップＳ７５０にて、ＣＰＵ１００は、撮影モードを終了する指令が入力されたか否かを判断する。ＣＰＵ１００は、その指令が入力されたと判断すると（ステップＳ７５０にてＹＥＳ）、撮影モードを終了し、待ち受けモードその他の標準の動作モードに切り替える。そうでない場合には（ステップＳ７５０にてＮＯ）、ＣＰＵ１００は、制御をステップＳ６２０に戻す。
【００６８】
以上の次第で、この局面に従う携帯電話機１０は、３次元撮影モードにおいて一部のレンズが指等によって遮られている場合には、指によって遮られていない他のレンズからの画像データを両目用の画像データとして保存する。したがって、画像が再生される場合には、３次元の表示は実現されないけれども、２次元の画像として表示される。
【００６９】
＜レンズ周りの構成＞
ここで、図８を参照して、本実施の形態に係る携帯電話機１０の形状についてさらに説明する。図８は、湾曲部８００の形状を表す図である。前述のとおり、湾曲部８００は、少なくとも二つの円弧を含む。図８からも明らかなように、一つの円弧の曲率中心８１０と、他の円弧の曲率中心８２０とは、それぞれ、筐体の反対側に位置する。このような構成によれば、ユーザが携帯電話機１０を把持した場合にグリップ感が実現されるとともに、レンズが配置されている部分まで指がずり上がることが防止され得る。これにより、３次元の画像を撮影する場合に、レンズが指によって遮られにくくなるため、撮影の失敗を予防できる。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７１】
本発明は、携帯電話機、スマートフォンその他の携帯端末であって、３次元の画像として撮影できる機能を有する携帯端末に適用可能である。
【符号の説明】
【００７２】
１０，１００  携帯電話機、１０，１１１  レンズ、１１８，１１９  増幅器、１２０，１２１  変換器、１３０，１３１  レンズモータ、１３２，１３３  アイリスモータ、１３４，１３５  タイミングジェネレータ、１４０  シャッタースイッチ、１４２  モード選択ボタン、１４４  電源ボタン、１５０  ＲＡＭ、１５２  画像信号処理回路、１５４  変換処理回路、１５８  圧縮伸張処理回路、１６２  フラッシュメモリ、１６４  ドライバ、１６６  メディアコントローラ、１６８  メモリカード、１７０  ディスプレイ、１７２  タッチセンサ、１８０  データバス、１９０  通信回路、１９２  アンテナ、２００  開口部、４１０  画像、８００  湾曲部、８１０，８２０  曲率中心。
【図１】
0005670828.tif 000002
【図２】
0005670828.tif 000003
【図３】
0005670828.tif 000004
【図４】
0005670828.tif 000005
【図５】
0005670828.tif 000006
【図６】
0005670828.tif 000007
【図７】
0005670828.tif 000008
【図８】
0005670828.tif 000009